(57)【要約】【課題】曲げ方向、引張り方向だけでなく、ねじれ方向へ力が加えられてもアンテナが破断せずに通信が可能なICチップ付き装着バンドを提供する。【解決手段】本発明では、装着バンドにおいて、その装着バンドの弾性体部分とICチップ及びアンテナからなるインレットを包含する円柱状の樹脂ケースとの間に滑り機構を備える。その機構により、ねじれ方向に力が加わったとしても、弾性体部分に引きずられることなく、内側のインレットが滑りねじれ方向の力を分散させることができる。【選択図】図３
2010160710.tif 000002
【特許請求の範囲】
【請求項１】
情報が記録されたICチップ及び当該ICチップに接続し前記情報を出力するアンテナを有するインレットと、
前記インレットを内包する円筒形の樹脂ケースと、
前記樹脂ケースを内包するリング状の前記樹脂ケースより軟質の弾性体と、
前記樹脂ケースと前記前記弾性体との間にある滑り機構と、
を備えることを特徴とする装着バンド。
【請求項２】
請求項１記載の装着バンドにおいて、
前記滑り機構は、前記樹脂ケースと前記弾性体の間に形成された、当該弾性体の誘電率以下の誘電率を有する潤滑オイルであることを特徴とする装着バンド。
【請求項３】
請求項１記載の装着バンドにおいて、
前記滑り機構は、前記弾性体の当該樹脂ケースと接する部分に施された表面処理層であることを特徴とする装着バンド。
【請求項４】
請求項２記載の装着バンドにおいて、
前記潤滑オイルの誘電率と前記弾性体の誘電率は等しいことを特徴とする装着バンド。
【請求項５】
請求項４記載の装着バンドにおいて、
前記潤滑オイルはシリコーンオイルであり、前記弾性体はシリコーンゴムであることを特徴とする装着バンド。
【発明の詳細な説明】
【技術分野】
【０００１】
本発明は、人体を含む可動体に装着され、保護対象物を保持、内包する装着バンドに関する。この中でも特に、保護対象物として、インレットのような情報処理部材が含まれ、人体の一部に装着して、インレットに格納された情報を用いて、個人を識別するのに好適な装着バンドに関する。
【背景技術】
【０００２】
従来から、個人を識別するための装着バンドとして、人体の手首や足首などの一部に装着する装着バンド（リストバンドなど）が広く使用されている。例えば、医療向けの装着バンドとして、患者を特定するために本人を識別するためのユニークな情報を記録した装着バンドが知られている。
【０００３】
また、装着バンドに記録される本人識別情報としては、装着バンドに印字されたバーコードや視認できる数字などの情報だけでなく、非接触で読み書き可能なインレット（ＩＣチップとアンテナ）により記録された情報が、利用されている。
【０００４】
このようなインレットを内包したＲＦＩＤタグを実装した装着バンドとして特許文献１がある。特許文献１では装着バンドとして、バンド本体部分が弾性体で構成された、いわゆる輪ゴム状の装着バンドを実現している。このような輪ゴム状の装着バンドでは、バンド内部にあるインレットを破壊しないための曲げ耐久性と、繰り返し脱着を行っても破損しないための引張り耐久性を備えている必要がある。この装着バンドでは、曲げ耐性を向上するために、バンドの弾性体部分に直接アンテナとICチップを入れずに、それらを樹脂でコーティングしインレットと加工して埋め込んでいる。更に、引張り耐性を高めるために、弾性体部分において、インレットが埋め込まれているあたりよりも、その他の部分の材質を柔らかいものに調整することで装着バンド全体としてよく伸びるようにしている。
【０００５】
【特許文献１】特開２００７−２８６２１４号公報
【発明の開示】
【発明が解決しようとする課題】
【０００６】
腕への装着時に曲げたり、引っ張ったりねじったりしてしまうため、装着バンドが破断する恐れがある。また、インレットは、ラミネート材で保護されているもの単体としては、ポリエチレンナフタレート（PEN）の上にアルミ箔があり、アルミ箔の上にチップが搭載された構成であるため、装着バンドの折り曲げや引っ張りやねじりなどの伸縮に耐えうる構成ではない。
【０００７】
特許文献１の発明では、曲げ耐久性と伸び耐久性については考慮されているものの、ねじれ方向の耐久性については考慮されていない。そのため、装着バンドをねじった場合、特にインレットが搭載されているあたりをねじると、アンテナと弾性体部分との間の摩擦により、弾性体部分のねじれ変位がアンテナに伝わり、アンテナに応力が働く。その応力にアンテナが耐えきれなくなると、アンテナは破断や亀裂を生じて、ICチップ内のデータを送信することが困難になる可能性がある。
【０００８】
本発明では、このねじれ方向の耐久性を上げ、ねじれにも強い装着バンドを提供することを目的とする。なお、上述した課題については、装着対象が人体に限らず、それが動く可動体全般に言えることである。また、装着バンドに設けられる(内包される)保護対象物もＩＣチップやインレットに限らない課題である。
【課題を解決するための手段】
【０００９】
本発明は、可動体に装着される装着バンドであって、この装着バンド内に保護対象物を埋め込んだ（もしくは埋め込み可能な）樹脂ケースを設け、他の部分と互いに少なくともその一部が非接触の関係に構成する。ここで、樹脂ケースについては、円柱状の構造であることがより望ましい。また、他の部分は、樹脂ケースより軟質な弾性体で構成することも本発明に含まれる。
【００１０】
また、本発明には、装着バンドがいわゆるドーナツ状で構成される態様も含まれる。
【発明の効果】
【００１１】
本発明によれば、従来に比べて、バンドの亀裂などが起こりにくく、保護対象物の保護が可能になる。
【発明を実施するための最良の形態】
【００１２】
以下に、本発明の実施の形態を説明する。
【実施例１】
【００１３】
以下、実施例１〜実施例２においては、インレットを包含した円柱状の樹脂ケースのことをＲＦＩＤタグということにする。装着バンドは、次のような構成となる。
【００１４】
まず、図１は、実施例１の装着バンドに実装されるインレットの構成図である。(a)は上面図、(b)断面図である。図１の(a)および(b)に示すように、インレット１は、ベースフィルム３の上にアルミ箔などの金属箔で形成された細長いアンテナ４が設けられ、そのアンテナ４の上面にＩＣチップ２が搭載されることで構成される。ＩＣチップ２とアンテナ４は周波数毎にそれぞれ違うインピーダンスを持っているため、お互いのインピーダンスを合わせて整合を取る必要がある。このインピーダンスをあわせるために、スリット５が形成されている。
【００１５】
図２は、インレット１を樹脂ケースに封入したＲＦＩＤタグ、またＲＦＩＤタグをシリコーンゴムに封入したリストバンドの構成図である。すなわち、図２は、図１のインレット１を、ＲＦＩＤタグ６に設け、そのＲＦＩＤタグ６を装着バンドの一例であるリストバンドに適用した例を示す図である。具体的には、(a)はＲＦＩＤタグ６の構成図、(b)はリストバンド８の透視図、(c)はリストバンド８の断面図である。
【００１６】
図２の(a)の通り、ＲＦＩＤタグ６は、図１で示したインレット１を樹脂ケース７に封入したものである。樹脂ケース７はシリコーンゴムに比較して硬質のフィルムで出来ており、外部からインレット１へ加わる直接的な応力から保護することを可能としている。また、図２の(b)にあるような構造とし、インレット１を保護するＲＦＩＤタグ６の部分は硬質フィルムで硬度をより高くしておき、直接的な応力を防ぎ、リストバンド８の外皮のシリコーンゴム９は、硬度を硬質フィルムより低くにしておき、脱着しやすくしておくことが好適である。
【００１７】
また、図２の(c)に示すように、ＲＦＩＤタグ６とシリコーンゴム９との間にはシリコーンオイル１０を介在させ、ＲＦＩＤタグ６とシリコーンゴム９は非接触の状態にある構成としている。
【００１８】
ＲＦＩＤタグ６とリストバンド８の外皮のシリコーンゴム９は、シリコーンオイル１０を介して非接触の関係となるため、外皮のシリコーンゴム９に外部から加えられるねじれなどの応力も直接ＲＦＩＤタグ６に加えられることが無いように滑り機構が備わっていることになる。この滑り機構については、図３を用いて説明するが、本実施例のようにシリコーンオイル１０を介在したものでなくとも構わない。
【００１９】
図３は、リストバンド８の全体図である。(a)は断面図で外部からの応力が無い状態を示している。(b)は(a)の状態に対して、ＡとＢの方向に双方に応力が加わり、リストバンド８がねじられた状態を示した図である。
【００２０】
図３の(a)と(b)を比較すると、シリコーンゴム９は破線の動きのようにねじれるが、内部にあるＲＦＩＤタグ６は滑り機構により、応力を別方向へ逃がすことが出来る。
【００２１】
具体的には、滑り機構はシリコーンオイル１０で実現させるが、構造としては、リストバンド８を成形する時に、シリコーンオイル１０を塗布しておき、そのシリコーンオイル１０がＲＦＩＤタグ６を包含しているため、リストバンド８にＲＦＩＤタグ６の分のスペースを持たせた構造で出来上がる。ここにシリコーンオイル１０が存在しているので、ＲＦＩＤタグ６はシリコーンゴム９に対して、非接触の関係となっている。リストバンド８をねじると、滑り機構によりＲＦＩＤタグ６が滑り、応力がＲＦＩＤタグ６から、逃げる構造となっている。
【００２２】
一般的な潤滑油としては、比誘電率が2.5〜10の物が多い。インレットのアンテナは、使用する周波数に応じた無線特性があり、素材から決定する誘電率の影響を受けて、無線特性は変化する。このため、ＲＦＩＤタグ６は接触する物質の誘電率の影響を受けて、無線特性が変化する。例えば、図４の実線で描かれたように周波数2.45GHz帯にピーク性能を持ったアンテナであれば、空気中では2.45GHz帯にピークが存在するが、インレットに空気以外の例えば比誘電率3.0の物が付着することにより、無線特性が変化し破線で描かれた無線特性のように、2.45GHzより低い側へピークがシフトすることになる。付着体の誘電率がインレットの無線特性に影響を与えてしまうことになる。
【００２３】
このため、滑り機構を構成する潤滑油として使うオイルには、リストバンド８の外皮のシリコーンゴム９と同じ素材のシリコーンオイル１０を使用する(但し、別素材でも下記に示すものを含む各特性がほぼ同一の材料を用いてもよい)。これは、リストバンド８のシリコーンゴム９とシリコーンオイル１０の誘電率を同等の値の素材を選定することで、インレットの無線特性に悪影響を与えない効果を持つ。シリコーンゴム９やシリコーンオイル１０としては、比誘電率2.7〜3.5が望ましい。
【００２４】
また、リストバンド成形時には、170〜180℃の温度を使用することになるが、シリコーンオイル１０は170〜180℃の温度でも粘度が変わらない素材であるため、加工時に使用しやすい。
【００２５】
また、円柱状のＲＦＩＤタグ６の径を小さくすることで、ＲＦＩＤタグ６の表面積を小さくできる。表面積を小さくすることで、シリコーンゴム９とＲＦＩＤタグ６との間で摩擦抵抗が小さくなり滑らせやすい効果がでる。このため、ＲＦＩＤタグ６の径は、小さければ小さいほうが望ましい。
【実施例２】
【００２６】
次に、実施例２に関わる装着バンドについて、図５を用いて説明する。
【００２７】
図５は、実施例２係るリストバンド８の一部の断面図であり、シリコーンゴム９とＲＦＩＤタグ６の境界面を示したもので、シリコーンオイル１０に変わるものとして、シリコーンゴム９に、表面化学処理加工を施したものである。
【００２８】
シリコーンゴム９の表面に対して、ポリテトラフルオロエチレン１１などを使って表面化学処理加工を施したものを、本図では示している。ここでは、シリコーンゴム９として、何種類かあるシリコーンゴムの中でも、すべり性が少なくとも平均より高いシリコーンゴムを使用することが好適である。このことにより、シリコーンゴム９とポリテトラフルオロエチレン１１の間では、摩擦や剥離性はほぼ０に等しくなる。
【００２９】
しかし、ポリテトラフルオロエチレン１１とＲＦＩＤタグ６との間でも、すべり性が高いため、シリコーンゴム９とポリテトラフルオロエチレン１１は潤滑油の役割を果たし、リストバンド８の外皮のシリコーンゴム９とＲＦＩＤタグ６との間に滑り機構が出来上がる。
【００３０】
これにより、リストバンド８がねじれの応力を受けても、ポリテトラフルオロエチレン１１のすべり性の高い表面処理のおかげで、応力が逃げるような滑り機構が実現できる。
【図面の簡単な説明】
【００３１】
【図１】本発明の実施例１の装着バンドに実装されるインレットの構成を示す図。
【図２】実施例１の装着バンドの一部を示す図。
【図３】実施例１の装着バンドを示す図。
【図４】付着体の誘電率がインレットの無線特性に与える影響を示すグラフ。
【図５】本発明の実施例２の断面図。
【符号の説明】
【００３２】
１：インレット
２：ＩＣチップ
３：ベースフィルム
４：アンテナ
５：スリット
６：ＲＦＩＤタグ
７：樹脂ケース
８：リストバンド
９：シリコーンゴム
１０：シリコーンオイル
１１：ポリテトラフルオロエチレン（すべり性の低い表面処理）
【図１】
2010160710.tif 000003
【図２】
2010160710.tif 000004
【図３】
2010160710.tif 000005
【図４】
2010160710.tif 000006
【図５】
2010160710.tif 000007